(57)【要約】【課題】ヘアキャッチャーの着脱が容易となる防水パンの排水構造を提供する。【解決手段】浴槽が載置される防水パン１には、浴槽水排水用の排水口とは別に第２排水口３が形成され、この第２排水口３にはヘアキャッチャー１４が取り付けられているとともに、ヘアキャッチャー１４には、洗い場６側に立ち上る堤防５の高さまで延びる柄部１４ｃが立設されている。【選択図】図２
2007211535.tif 000002
【特許請求の範囲】
【請求項１】
浴槽が載置される防水パンには、浴槽水排水用の第１排水口とは別に第２排水口が形成され、該第２排水口にはヘアキャッチャーが取り付けられているとともに、該ヘアキャッチャーには、洗い場側に立ち上る堤防の高さまで延びる柄部が立設されていることを特徴とする防水パンの排水構造。
【請求項２】
浴槽が載置される防水パンには、浴槽水排水用の第１排水口とは別に第２排水口が形成され、該第２排水口にはヘアキャッチャーが取り付けられているとともに、該ヘアキャッチャーには、第２排水口を閉止できる逆止弁が付設されているとともに、上部に柄部が立設されていることを特徴とする防水パンの排水構造。
【発明の詳細な説明】
【技術分野】
【０００１】
本発明は、浴槽が載置される防水パンにおける排水構造に関するものである。
【背景技術】
【０００２】
従来、特許文献１に開示されているような排水目皿が存在し、この排水目皿においては、網目部の中央に突起部が備えられて排水口に嵌め込まれている。
【特許文献１】特開２００４−６０１７２号公報
【発明の開示】
【発明が解決しようとする課題】
【０００３】
上記特許文献１に開示されているような突起部を備えた排水目皿においては、突起部が上方へ突出し、洗い場の排水口に取り付けられる場合には突起部が邪魔になってしまうので、突起部の高さを低く抑えている。しかし、これを浴槽パンの排水口に取り付けた場合には、突起部が低いため排水目皿の位置がわかりにくく、また掴みにくいものであった。
【課題を解決するための手段】
【０００４】
本発明は上記従来の問題点に鑑み案出したものであって、邪魔になることなく、良好に洗い場側からヘアキャッチャーを取り外して掃除等をすることのできる防水パンの排水構造を提供するものであり、その請求項１は、浴槽が載置される防水パンには、浴槽水排水用の第１排水口とは別に第２排水口が形成され、該第２排水口にはヘアキャッチャーが取り付けられているとともに、該ヘアキャッチャーには、洗い場側に立ち上る堤防の高さまで延びる柄部が立設されていることである。
【０００５】
また、請求項２は、浴槽が載置される防水パンには、浴槽水排水用の第１排水口とは別に第２排水口が形成され、該第２排水口にはヘアキャッチャーが取り付けられているとともに、該ヘアキャッチャーには、第２排水口を閉止できる逆止弁が付設されているとともに、上部に柄部が立設されていることである。
【発明の効果】
【０００６】
本発明の防水パンの排水構造は、浴槽が載置される防水パンには、浴槽水排水用の第１排水口とは別に第２排水口が形成され、該第２排水口にはヘアキャッチャーが取り付けられているとともに、該ヘアキャッチャーには、柄部が立設されていることにより、洗い場側から防水パン上に手を入れて柄部を握り、良好にヘアキャッチャーを取り外して掃除することができるものとなり、洗い場側からのヘアキャッチャーの着脱が容易なものとなる。
【０００７】
また、浴槽が載置される防水パンには、浴槽水排水用の第１排水口とは別に第２排水口が形成され、該第２排水口にはヘアキャッチャーが取り付けられているとともに、該ヘアキャッチャーには、第２排水口を閉止できる逆止弁が付設されているとともに、上部に柄部が立設されていることにより、洗い場側から排水が逆流してきた時に、逆止弁が作用して逆流を防ぐことができ、洗い場側からの排水が第２排水口から防水パン上に溢れることがなくなる。
【実施例】
【０００８】
以下、本発明の実施例を図面に基づいて説明する。
図１は、防水パンと浴槽の分解斜視図であり、防水パン１上には浴槽４を載置することができ、この防水パン１には、浴槽４の底側の排水孔４ａが接続されて浴槽排水が流入する第１排水口２が形成されており、この第１排水口２とは別に、防水パン１上の排水が流入する第２排水口３が形成されている。
【０００９】
また、防水パン１の洗い場６側には堤防５が立ち上げ形成されている。
洗い場６側には洗い場排水が流入する洗い場排水口７が形成されており、この洗い場排水口７の下方には排水トラップ８が接続され、この排水トラップ８に接続されている排出管９を通し、洗い場排水を排出できるように構成されている。
この洗い場側の排水トラップ８と第１排水口２は排水管１０で接続されており、更にこの排水管１０には、第２排水口３から延びる接続管１１が接続されている。従って、第１排水口２および第２排水口３に流入した排水は、排水管１０を通って排水トラップ８に流入して排出管９に排出されるものである。
【００１０】
図２は、第２排水口３の周辺の拡大縦断面構成図であり、第２排水口３は、防水パン１に凹み状に形成されており、この第２排水口３には、パッキン１２を介在させて排水口フランジ１３が取り付けられ、この排水口フランジ１３に下方より接続エルボ１１ａが締め付けられて接続され、接続エルボ１１ａに接続管１１が接続されている。
【００１１】
排水口フランジ１３の上面には、着脱可能にヘアキャッチャー１４が取り付けられており、このヘアキャッチャー１４は、図３に拡大斜視図で示すような構造となっている。
ヘアキャッチャー１４は、隙間を形成して複数本の筒枠で構成された本体筒枠１４ａの側面に、外方へ突出してフランジ部１４ｂが形成され、このフランジ部１４ｂが排水口フランジ１３の上面に当接状に載置されて、ヘアキャッチャー１４が排水口フランジ１３に取り付けられるものである。
【００１２】
本例においては、ヘアキャッチャー１４の本体筒部１４ａの上面中央部から上方に向かって一体状に立ち上げられて柄部１４ｃが形成されており、この柄部１４ｃは、図２に示すように、取り付けられた状態では、その上端が洗い場６側にある堤防５の高さ位置まで達するような高さ寸法に設定されている。
また、ヘアキャッチャー１４の本体筒部１４ａの下端には、上下方向に蝶番式で開閉できる逆止弁１４ｄが形成されており、この逆止弁１４ｄは排水口フランジ１３内に配置される。
なお、図２において、堤防５上には、点検口１５ａを有するエプロン１５が立設され、点検口１５ａは着脱可能なエプロン点検口蓋１６で覆蓋されている。
【００１３】
このようなヘアキャッチャー１４を図２のように、第２排水口３に取り付けておけば、防水パン１上の排水が第２排水口３内に流入する際に、ヘアキャッチャー１４で汚れやゴミが取り除かれるものである。また、第１排水口２或いは洗い場排水口７側から排水が逆流してきたような場合には、逆止弁１４ｄが逆流排水により水平状態となって閉じられ、第２排水口３に排水が逆流して防水パン１上に溢れることがなく、良好に逆流が防がれて、防水パン１上を清潔な状態に維持できるものである。
【００１４】
また、ヘアキャッチャー１４のゴミを取るために、ヘアキャッチャー１４を取り外す際には、エプロン点検口蓋１６を外し、エプロン１５の点検口１５ａから手を差し入れて、柄部１４ｃを握って上方へ持ち上げて良好にヘアキャッチャー１４を取り外すことができ、ヘアキャッチャー１４の着脱が柄部１４ｃにより良好に行えるものとなる。また、柄部１４ｃは、通常は堤防５上に立設されるエプロン１５で隠されて、洗い場６側からは見えないために、邪魔になることがなく、見苦しさを感じることもない。
【００１５】
なお、ヘアキャッチャー１４は、図４に示すような形状のものであっても良く、図４のヘアキャッチャーでは、本体筒枠１４ａ内に上下動可能に浮玉弁１４ｅを配置させたものであり、図５に示すように、フランジ部１４ｂの内側には、浮玉弁１４ｅが上昇した時に、浮玉弁１４ｅが当接する曲面状の係止部１４ｆが一体形成されている。
【００１６】
このような構造のヘアキャッチャー１４を図５のように取り付けておけば、洗い場７側或いは第１排水口２側から逆流が流れ込んだ際に、逆流により浮玉弁１４ｅが上昇して係止部１４ｆに当接し、第２排水口３を閉ざし、防水パン１上に逆流が溢れることを良好に防ぐことができるものとなる。
【００１７】
また、本例においても、柄部１４ｃが堤防５の高さ位置まで立設されているため、エプロン点検口蓋１６を外し、エプロン１５の点検口１５ａから手を差し入れて、柄部１４ｃを握って上方へ持ち上げて良好にヘアキャッチャー１４を取り外すことができ、ヘアキャッチャー１４を良好に着脱させて掃除することができるものとなる。
【図面の簡単な説明】
【００１８】
【図１】防水パンと浴槽の分解斜視構成図である。
【図２】ヘアキャッチャーを防水パンの第２排水口に取り付けた状態の要部拡大縦断面構成図である。
【図３】図２のヘアキャッチャーの斜視構成図である。
【図４】ヘアキャッチャーの変形例を示す斜視構成図である。
【図５】図４のヘアキャッチャーを取り付けた状態の縦断面拡大構成図である。
【符号の説明】
【００１９】
１  防水パン
２  第１排水口
３  第２排水口
４  浴槽
４ａ  排水孔
５  堤防
６  洗い場
７  洗い場排水口
８  排水トラップ
９  排出管
１０  排水管
１１  接続管
１１ａ  接続エルボ
１３  排水口フランジ
１４  ヘアキャッチャー
１４ａ  本体筒枠
１４ｂ  フランジ部
１４ｃ  柄部
１４ｄ  逆止弁
１４ｅ  浮玉弁
１４ｆ  係止部
１５  エプロン
１５ａ  点検口
１６  エプロン点検口蓋
【図１】
2007211535.tif 000003
【図２】
2007211535.tif 000004
【図３】
2007211535.tif 000005
【図４】
2007211535.tif 000006
【図５】
2007211535.tif 000007